(57)【要約】【課題】駆動プーリと従動プーリとにベルトが掛け回された状態で電動機を移動させてベルトにテンションを掛ける際に、作業者に電動機の姿勢の修正を容易に行わせること。【解決手段】ベース部材10と、電動機1に設けられた脚部20,30のそれぞれをベース部材10にネジ止めする締結具40, 50とを備え、締結具40は偏心ボルト41とナット42を備え、偏心ボルト41は頭部41aと、この頭部41aから同心状に延びた同心円筒部41bと、この同心円筒部41bから偏心状に延びた偏心円筒部41cと、この偏心円筒部41cから同心状に延びた雄ネジ部41dとを備え、脚部20は丸孔22aを備え、ベース部材10は電動機1の回転軸1aに直交する方向に延びた長孔13aを備え、偏心ボルト41は同心円筒部41bでベース部材10の長孔13aの内周面を押圧しつつ、偏心円筒部41cで脚部20の丸孔22aの内周面を押圧することで、長孔13aに交差する方向に脚部20を移動させる。【選択図】図１
2015074535.tif 000002
【特許請求の範囲】
【請求項１】
電動機と、この電動機の回転軸に取り付けられた駆動プーリと、従動プーリと、前記駆動プーリと前記従動プーリにテンションを掛けられた状態で掛け回された無端状のベルトとを備えるエレベータの駆動装置において、
ベース部材と、前記電動機に設けられ、この電動機の軸方向に並んだ第１，第２脚部と、前記第１脚部を前記ベース部材にネジ止めする第１締結具と、前記第２脚部を前記ベース部材にネジ止めする第２締結具とを備え、
前記第１脚部は前記第２脚部よりも前記駆動プーリ側に位置し、
前記第１締結具は、偏心ボルトと、この偏心ボルトに螺合するナットを備え、
前記偏心ボルトは、所定の工具に適合する頭部と、この頭部から同心状に延びた同心円筒部と、この同心円筒部から偏心状に延びた偏心円筒部と、この偏心円筒部から同心状に延びた雄ネジ部とを備え、
前記第１脚部は、前記偏心ボルトが挿し通される丸孔を備え、
前記ベース部材は、前記偏心ボルトが挿し通されるとともに、その偏心ボルトを前記電動機の回転軸に直交する方向に移動させることが可能に延びた長孔を備え、
前記偏心ボルトの前記同心円筒部および前記偏心円筒部の一方が前記ベース部材の前記長孔に配置され、前記同心円筒部および前記偏心円筒部の他方が前記第１脚部の前記丸孔に配置された状態で、前記雄ネジ部に前記ナットが螺合することによって前記第１脚部は前記ベース部材にネジ止めされ、
前記偏心ボルトは捻られると、前記同心円筒部および前記偏心円筒部の一方によって前記ベース部材の前記長孔の内周面を押圧しつつ、前記同心円筒部および前記偏心円筒部の他方によって前記第１脚部の前記丸孔の内周面を押圧することで、前記長孔に交差する方向に前記第１脚部を移動させる
ことを特徴とするエレベータの駆動装置。
【発明の詳細な説明】
【技術分野】
【０００１】
本発明は、電動機の回転を無端状のベルトを介して従動側の回転機器に伝達するエレベータの駆動装置に関する。
【背景技術】
【０００２】
エレベータの駆動装置としては油圧式エレベータに備えられるものがある。この駆動装置は、電動機と、ロープを介して乗かごを支持する油圧ジャッキと、この油圧ジャッキに供給される圧油を吐出する油圧ポンプ（回転機器）と、電動機の回転軸に取り付けられた駆動プーリと、油圧ポンプの回転軸に取り付けられた従動プーリと、これらの駆動プーリと従動プーリにテンションを掛けられた状態で掛け回された無端状のベルトとを備える（特許文献１参照）。
【０００３】
前述のベルトは経年的に伸び、これに伴って、ベルトのテンションが低下する。ベルトのテンションの低下は、ベルトと駆動プーリの間およびベルトと従動プーリの間にスベリを生じさせる。したがって、ベルトのテンションが低下した場合には、ベルトの交換等の何らかの処置を行って、適切なテンションを確保する必要がある。
【０００４】
油圧式エレベータの電動機は、建屋に設けられたベース部材に対してボルトとナットにより複数個所を締結される。ベース部材において、ボルトが挿し通される孔は、従動プーリに対する駆動プーリの位置の調整のための電動機の移動を可能にする長孔である場合がある。
【０００５】
このように電動機がベース部材に設けられている場合、テンションが低下したベルトに適切なテンションを掛けるための処置としては、駆動プーリと従動プーリとにベルトが掛け回された状態で、全てのボルトを緩めた状態で電動機をベルトのテンションが上がる方向に移動させた後に、全てのボルトを締めて電動機を固定する、ということが行われる。
【先行技術文献】
【特許文献】
【０００６】
【特許文献１】特開２００２−２００５３号公報
【発明の概要】
【発明が解決しようとする課題】
【０００７】
前述のように、テンションが低下したベルトに適切なテンションを掛けるための処置としては、駆動プーリと従動プーリとにベルトが掛け回された状態で、全てのボルトを緩めた状態で電動機をベルトのテンションが上がる方向に移動させた後、全てのボルトを締めて電動機をベース部材に固定する、ということが行われる。この処置を行う場合、全てのボルトを緩めた状態において電動機はベルトのテンションによって駆動プーリを従動プーリの方向に傾けた姿勢を成すので、ベルトのテンションに抗して電動機の姿勢を修正しながら全てのボルトを締めるという煩雑な作業を伴う。
【０００８】
本発明は前述の事情を考慮してなされたものであり、その目的は、駆動プーリと従動プーリとにベルトが掛け回された状態で電動機を移動させてベルトにテンションを掛ける際に、作業者に電動機の姿勢の修正を容易に行わせることができるエレベータの駆動装置を提供することにある。
【課題を解決するための手段】
【０００９】
前述の目的を達成するために本発明は、電動機と、この電動機の回転軸に取り付けられた駆動プーリと、従動プーリと、前記駆動プーリと前記従動プーリにテンションを掛けられた状態で掛け回された無端状のベルトとを備えるエレベータの駆動装置において、ベース部材と、前記電動機に設けられ、この電動機の軸方向に並んだ第１，第２脚部と、前記第１脚部を前記ベース部材にネジ止めする第１締結具と、前記第２脚部を前記ベース部材にネジ止めする第２締結具とを備え、前記第１脚部は前記第２脚部よりも前記駆動プーリ側に位置し、前記第１締結具は、偏心ボルトと、この偏心ボルトに螺合するナットを備え、前記偏心ボルトは、所定の工具に適合する頭部と、この頭部から同心状に延びた同心円筒部と、この同心円筒部から偏心状に延びた偏心円筒部と、この偏心円筒部から同心状に延びた雄ネジ部とを備え、前記第１脚部は、前記偏心ボルトが挿し通される丸孔を備え、前記ベース部材は、前記偏心ボルトが挿し通されるとともに、その偏心ボルトを前記電動機の回転軸に直交する方向に移動させることが可能に延びた長孔を備え、前記偏心ボルトの前記同心円筒部および前記偏心円筒部の一方が前記ベース部材の前記長孔に配置され、前記同心円筒部および前記偏心円筒部の他方が前記第１脚部の前記丸孔に配置された状態で、前記雄ネジ部に前記ナットが螺合することによって前記第１脚部は前記ベース部材にネジ止めされ、前記偏心ボルトは捻られると、前記同心円筒部および前記偏心円筒部の一方によって前記ベース部材の前記長孔の内周面を押圧しつつ、前記同心円筒部および前記偏心円筒部の他方によって前記第１脚部の前記丸孔の内周面を押圧することで、前記長孔に交差する方向に前記第１脚部を移動させることを特徴とする。
【発明の効果】
【００１０】
本発明に係るエレベータの駆動装置において、偏心ボルトは頭部を捻られると、同心円筒部および偏心円筒部の一方によってベース部材の長孔の内周面を押圧しつつ、同心円筒部および偏心円筒部の他方によって第１脚部の丸孔の内周面を押圧することで、長孔に交差する方向に第１脚部を移動させる。これに伴い、電動機の姿勢が変化する。つまり、本発明は、駆動プーリと従動プーリとにベルトが掛け回された状態で電動機を移動させることによりベルトにテンションを掛ける際に、作業者に偏心ボルトを捻らせることによって、電動機の姿勢の修正を容易に行わせることができる。
【図面の簡単な説明】
【００１１】
【図１】本発明の一実施形態に係るエレベータの駆動装置に備えられる油圧ポンプ、電動機を示す斜視図である。
【図２】図１に示された油圧ポンプ、電動機の上面図である。
【図３】図１に示された偏心ボルトの斜視図である。
【図４】電動機がベルトのテンションによって駆動プーリを従動プーリの方向に傾けた姿勢を成した状態の上面図である。
【図５】図４の左側に示された偏心ボルトの円筒部および雄ネジ部と、第１脚部と、ベース部材との位置関係を示す拡大図である。
【図６】図２の左側に示された偏心ボルトの円筒部および雄ネジ部と、第１脚部と、ベース部材との位置関係を示す拡大図である。
【発明を実施するための形態】
【００１２】
本発明の一実施形態に係るエレベータの駆動装置について図１〜図６を用いて説明する。
【００１３】
図１，図２に示すように、本実施形態に係るエレベータの駆動装置は油圧式エレベータ（図示してない）に備えられるものであり、電動機１と、この電動機１を駆動源とする回転機器である油圧ポンプ２と、電動機１の回転軸１ａに取り付けられた駆動プーリ３と、油圧ポンプ２の回転軸２ａに取り付けられた従動プーリ４と、駆動プーリ３と従動プーリ４にテンションを掛けられた状態で掛け回された無端状のベルト５とを備える。油圧ポンプ２は、ロープ（図示してない）を介して乗かご（図示してない）を支持する油圧ジャッキ（図示してない）に供給される圧油を吐出するものである。電動機１の回転軸１ａの回転が駆動プーリ３、ベルト５、従動プーリ４を介して油圧ポンプ２に伝達されることによって油圧ポンプ２の回転軸２ａは回転し、これに伴って油圧ポンプ２は圧油を吐出する。
【００１４】
また、本実施形態に係るエレベータの駆動装置は、建屋に設けられたビームから成るベース部材１０と、電動機１に設けられた第１脚部２０および第２脚部３０と、第１脚部２０をベース部材１０にネジ止めする２組の第１締結具４０と、第２脚部３０をベース部材１０にネジ止めする２組の第２締結具５０とを備える。
【００１５】
ベース部材１０は、対向して位置する側板１１，１２と、これらの側板１１，１２間に架け渡された第１，第２ベース板部１３，１４とを備える。第１ベース板部１３上には第１脚部２０が配置され、第２ベース板部１４上には第２脚部３０が配置される。
【００１６】
第１，第２脚部２０，３０は電動機１の軸方向に並んでいる。第１脚部２０は第２脚部３０よりも駆動プーリ３側に位置する。第１締結具４０は、偏心ボルト４１と、この偏心ボルト４１に螺合するナット４２を備える。第２締結具５０は、ボルト５１と、このボルト５１に螺合するナット５２とを備える。
【００１７】
第１締結具４０の偏心ボルト４１は、図３に示すように、所定の工具であるスパナに適合する頭部４１ａと、この頭部４１ａから同心状に延びた同心円筒部４１ｂと、この同心円筒部４１ｂから偏心状に延びた偏心円筒部４１ｃと、この偏心円筒部４１ｃから同心状に延びた雄ネジ部４１ｄとを備える。
【００１８】
第２締結具５０のボルト５１は、スパナに適合する頭部（図示してない）に対して雄ネジ部５１ｂが同心状に延びたボルトである。
【００１９】
図１に示すように、第１脚部２０は、対向して位置するとともに第１ベース板部１３に対して立ち上がって位置する立上り部２１，２２と、これらの立上り部２１，２２間に架け渡されて電動機１に固定された板状の架渡し部２３と、この架渡し部２３に貫通して設けられ、第１締結具４０の偏心ボルト４１が挿し通される丸孔２２ａ（図６参照）とを備える。
【００２０】
第２脚部３０は、対向して位置するとともに第２ベース板部１４に対して立ち上がって位置する立上り部３１，３２と、これらの立上り部３１，３２間に架け渡されて電動機１に固定された板状の架渡し部３３と、この架渡し部３３に貫通して設けられ、第２締結具５０のボルト５１が挿し通される丸孔（図示してない）とを備える。
【００２１】
ベース部材１０は、第１ベース板部１３に設けられた第１長孔１３ａと、第２ベース板部１４に設けられた第２長孔１４ａとを備える。第１長孔１３ａは、第１締結具４０の偏心ボルト４１が挿し通される孔であり、その偏心ボルト４１を電動機１の回転軸１ａに直交する方向に移動させることが可能に延びている。第２長孔１４ａは、第２締結具５０のボルト５１が挿し通される孔であり、ボルト５１の位置を電動機１の回転軸１ａに直交する方向に移動させることが可能に延びている。
【００２２】
ベース部材１０の第１ベース板部１３に設けられた第１長孔１３ａに同心円筒部４１ｂおよび偏心円筒部４１ｃの一方が配置され、第１脚部２０の架渡し部２３に設けられた丸孔２２ａに偏心ボルト４１の同心円筒部４１ｂおよび偏心円筒部４１ｃの他方が配置される。この状態で、雄ネジ部４１ｄにナット４２が螺合することによって第１脚部２０はベース部材１０にネジ止めされる。
【００２３】
本実施形態に係るエレベータの駆動装置においては、図４に示すように、ベース部材１０の第１ベース板部１３に設けられた第１長孔１３ａに同心円筒部４１ｂが配置され、第１脚部２０の架渡し部２３に設けられた丸孔２２ａに偏心ボルト４１の偏心円筒部４１ｃが配置される。この状態で、図１，図２に示すように丸孔２２ａから上方に突出した雄ネジ部４１ｄにナット４２が螺合することによって第１脚部２０はベース部材１０にネジ止めされる。つまり、偏心ボルト４１は、ナット４２を第１脚部２０の上方で扱うことができる姿勢で使用されている。
【００２４】
これに対し、偏心ボルト４１が図１，図２とは上下逆向きで使用される場合、すなわち、ベース部材１０の第１ベース板部１３に設けられた第１長孔１３ａに偏心円筒部４１ｃが配置され、第１脚部２０の架渡し部２３に設けられた丸孔２２ａに偏心ボルト４１の同心円筒部４１ｂが配置される場合、第１長孔１３ａから下方に突出した雄ネジ部４１ｄにナット４２が螺合することになる。この場合、ナット４２はベース部材１０よりも下方で扱われることになり、前述のようにナット４２が第１脚部２０の上方に位置する場合よりも扱いにくくなる。
【００２５】
偏心ボルト４１はスパナで捻られると、ベース部材１０の第１ベース板部１３に設けられた第１長孔１３ａの内周面を同心円筒部４１ｂによって押圧しつつ、第１脚部２０の架渡し部２３に設けられた丸孔２２ａの内周面を偏心円筒部４１ｃによって押圧することで、第１長孔１３ａに交差する方向に第１脚部２０を移動させる。例えば図５に示すように第１ベース板部１３に対して第１脚部２０に位置ずれが生じた状態において、偏心ボルト４１がスパナで捻られると、偏心ボルト４１は第１脚部２０を押し動かし、これによって図６に示すように位置ずれが解消される。
【００２６】
ボルト５１は、ベース部材１０の第２ベース板部１４に設けられた第２長孔１４ａ、および、第２脚部３０の架渡し部３３に設けられた丸孔（図示してない）に下方から挿し通される。この状態で、ボルト５１に上方からナット５２が螺合することによって第２脚部３０はベース部材１０にネジ止めされる。
【００２７】
また、本実施形態に係るエレベータの駆動装置は、ベース部材１０の側板１１に設けられた第１規制構造部６０と、側板１２に設けられた第２規制構造部７０とを備える。これら第１，第２規制構造部７０は従動プーリ４の方向に駆動プーリ３が傾く電動機１の姿勢の変化を規制するものである。
【００２８】
第１規制構造部６０は、第１規制ボルト６１と、ベース部材１０の側板１１に設けられ第１規制ボルト６１が挿し通されて位置する貫通孔（図示してない）と、側板１１に固着して設けられたナットから成り第１規制ボルト６１と螺合する第１雌ネジ部６２とを備える。第１規制ボルト６１は、頭部６１ａと、この頭部６１ａから同心状に延びて第１雌ネジ部６２と螺合する雄ネジ部６１ｂとを備える。雄ネジ部６１ｂの先端は第１脚部２０の立上り部２１に接触して配置される。
【００２９】
第２規制構造部７０は、第２規制ボルト７１と、ベース部材１０の側板１２に設けられ第２規制ボルト７１が挿し通されて位置する貫通孔（図示してない）と、側板１２に固着して設けられたナットから成り第２規制ボルト７１と螺合する第２雌ネジ部７２とを備える。第２規制ボルト７１は、頭部７１ａと、この頭部７１ａから同心状に延びて第２雌ネジ部７２と螺合する雄ネジ部７１ｂとを備える。雄ネジ部７１ｂの先端は第２脚部３０の立上り部３２に接触して配置される。
【００３０】
このように構成された本実施形態に係るエレベータの駆動装置は、ベルト５にテンションを掛ける際に、次のように使用される。
【００３１】
はじめに、作業者は、２組の第１締結具４０のそれぞれのナット４２、および、２組の第２締結具５０のそれぞれのナット５２を緩める。
【００３２】
次に、作業者は、第２規制構造部７０の第２規制ボルト７１を緩めて第２脚部３０から離れる方向に移動させる。これにより、電動機１は、従動プーリ４に対して駆動プーリ３が離れる方向に移動させることが可能な状態になる。
【００３３】
次に、作業者は、第１規制構造部６０の第１規制ボルト６１を締めることによって第１脚部２０の立上り部２１を第１規制ボルト６１の雄ネジ部６１ｂで押圧しながら、電動機１を第１，第２長孔１３ａ，１４ａに沿ってベルト５に適切なテンションが掛かるまで位置まで移動させる。
【００３４】
このとき、図４に示すように、電動機１は、第１脚部２０に対する第１規制ボルト６１の接触箇所を支点にして、ベルト５のテンションによって駆動プーリ３を従動プーリ４の方向に傾けた姿勢を成す。図４において、１点鎖線Ａ１は油圧ポンプ２の回転軸２ａと電動機１の回転軸１ａとが平行になる適切な姿勢を成した電動機１の中心線であり、２点鎖線Ａ２は駆動プーリ３が従動プーリ４の方向に傾いた不適切な姿勢を成した電動機１の中心線である。
【００３５】
電動機１が不適切な姿勢を成した状態（中心線がＡ２となる状態）において、図４中の左側の第１脚部２０とベース部材１０の第１ベース板部１３との間には、例えば図５に示す位置ずれが生じる。なお、図５において第１規制ボルト６１の図示は省略した。
【００３６】
作業者は、第１締結具４０の偏心ボルト４１をスパナで、第１ベース板部１３に対する第１脚部２０の位置ずれが解消されるまで捻ることによって、電動機１の姿勢を修正する。
【００３７】
電動機１の姿勢を修正した後、作業者は２組の第１締結具４０のそれぞれのナット４２、および、２組の第２締結具５０のそれぞれのナット５２を締める。最後に、作業者は、第２規制ボルト７１を締めて第２脚部３０の立上り部３２に雄ネジ部７１ｂを接触させる。
【００３８】
本実施形態に係るエレベータの駆動装置は次の効果を奏する。
【００３９】
本実施形態に係るエレベータの駆動装置において、第１締結具４０の偏心ボルト４１は捻られると、同心円筒部４１ｂによってベース部材１０の第１長孔１３ａの内周面を押圧しつつ、同心円筒部４１ｂおよび偏心円筒部４１ｃの他方によって第１脚部２０の丸孔２２ａの内周面を押圧することで、第１長孔１３ａに交差する方向に第１脚部２０を移動させる。これによって、電動機１の姿勢は変化する。つまり、本実施形態に係るエレベータの駆動装置は、駆動プーリ３と従動プーリ４とにベルト５が掛け回された状態で電動機１を移動させることによりベルト５にテンションを掛ける際に、作業者に偏心ボルト４１を捻らせることによって、電動機１の姿勢の修正を容易に行わせることができる。
【００４０】
前述の実施形態に係るエレベータの駆動装置は、電動機１の回転軸１ａの回転を、駆動プーリ３と従動プーリ４とベルト５を介して油圧ポンプ２に伝達する油圧式エレベータの駆動装置に適用された例であったが、本発明の適用対象は油圧式エレベータの駆動装置に限定されるものではなく、電動機の回転軸の回転を駆動プーリと従動プーリとベルトを介して回転機器に伝達する駆動装置であれば適用可能である。
【符号の説明】
【００４１】
１  電動機
１ａ  回転軸
２  油圧ポンプ
２ａ  回転軸
３  駆動プーリ
４  従動プーリ
５  ベルト
１０  ベース部材
１３ａ  第１長孔
１４ａ  第２長孔
２０  第１脚部
２２ａ  丸孔
３０  第２脚部
４０  第１締結具
４１  偏心ボルト
４１ａ  頭部
４１ｂ  同心円筒部
４１ｃ  偏心円筒部
４１ｄ  雄ネジ部
４２  ナット
５０  第２締結具
【図１】
2015074535.tif 000003
【図２】
2015074535.tif 000004
【図３】
2015074535.tif 000005
【図４】
2015074535.tif 000006
【図５】
2015074535.tif 000007
【図６】
2015074535.tif 000008